(57)【要約】【課題】  印刷済みの記録紙に画像が重ねて印刷されるようなコピーミスを防止することができる画像形成装置を提供する。【解決手段】  センサ２０４は記録紙の第１の面を読取り、センサ２０５は記録紙の第２の面を読取る。そして、第１の面に既に一定の大きさ以上の画像が印刷されている場合、印刷面決定部１３は第２の面を印刷面として決定し、印刷制御部２０は決定された印刷面にスキャナ部５０１で読取られた画像を印刷する。【選択図】      図２
2006195183.tif 000002
【特許請求の範囲】
【請求項１】
記録紙の一方側の面である第１の面及び前記第１の面に対して反対側の面である第２の面の少なくともいずれか一方に画像を形成する画像形成手段と、
前記第１の面が画像形成面となるように記録紙を前記画像形成手段に搬送する第１の搬送手段と、
前記第１の面に対して予め定められた基準値以上のサイズの画像形成済みの領域が存在するか否かを判定する判定手段と、
前記第１の搬送手段により前記画像形成手段に記録紙が搬送された後、前記第２の面が画像形成面となるように前記画像形成手段に記録紙を搬送する第２の搬送手段とを備え、
前記画像形成手段は、前記判定手段により前記基準値以上の画像形成済みの領域が存在すると判定された場合、前記第１の面に画像の形成を行うことなく前記第２の面に画像を形成することを特徴とする画像形成装置。
【請求項２】
前記画像形成手段は、前記判定手段により前記第１の面における画像形成済みの領域が前記基準値未満であると判定された場合、前記第１の面の空白領域に画像が収まるように画像を縮小して形成すること特徴とする請求項１記載の画像形成装置。
【請求項３】
前記判定手段は前記第１の面及び前記第２の面に対して前記基準値以上の画像形成済みの領域が存在するか否かを判定し、
前記画像形成手段は、前記判定手段によりいずれか一方の面に前記基準値未満の画像形成済みの領域が存在すると判定された場合、当該面の空白領域に画像が収まるように画像を縮小して形成することを特徴とする請求項１記載の画像形成装置。
【請求項４】
前記画像形成手段は、前記判定手段により前記第１及び第２の面の両方に前記基準値未満の画像形成済みの領域が存在すると判定された場合、空白領域が大きい方の面の空白領域に画像が収まるように画像を縮小して形成することを特徴とする請求項３記載の画像形成装置。
【発明の詳細な説明】
【技術分野】
【０００１】
本発明は、記録紙の両面に画像を形成することができる画像形成装置に関する。
【背景技術】
【０００２】
一度印刷が行われた記録紙を画像形成装置にセットして、記録紙を再利用することがしばしば行われている。この場合、ユーザは記録紙の画像が形成されていない面が画像形成面となるように給紙カセットに記録紙をセットしておく必要がある。
【０００３】
しかしながら、表裏が間違えられて印刷済みの記録紙が給紙カセットにセットされると、既に印刷がなされた方の面に再度画像が印刷され、コピーミスが発生するという問題がある。
【０００４】
そこで、特許文献１には、用紙の一方の面が印刷済みであるか否かの情報をユーザに入力させ、ユーザにより印刷済みであるとの情報が入力された場合、記録紙に画像を印刷させない画像形成装置が開示されている。また、特許文献２及び３には原稿の画像を読取り、読取った原稿画像から空白領域を検出し、検出した空白領域に他の画像を合成する画像形成装置が開示されている。
【特許文献１】特開２００４−１１７４２８号公報
【特許文献２】特開平１０−２１０２７４号公報
【特許文献３】特開平１０−２１０２７４号公報
【発明の開示】
【発明が解決しようとする課題】
【０００５】
しかしながら、特許文献１記載の発明では、印刷済みであるとの情報が入力された場合、画像が印刷されないという問題がある。また、特許文献２及び３記載の発明では、読取った原稿画像に対して空白領域を検出することは行われているものの、記録紙に対する空白領域の有無の検出はなされていないため、印刷済みの記録紙に画像が重ねて印刷されるというようなコピーミスを防止することはできないという問題があった。
【０００６】
本発明の目的は、印刷済みの記録紙に画像が重ねて印刷されるというようなコピーミスを防止することができる画像形成装置を提供することである。
【課題を解決するための手段】
【０００７】
本発明による画像形成装置は、記録紙の一方側の面である第１の面及び前記第１の面に対して反対側の面である第２の面の少なくともいずれか一方に画像を形成する画像形成手段と、前記第１の面が画像形成面となるように記録紙を前記画像形成手段に搬送する第１の搬送手段と、前記第１の面に対して予め定められた基準値以上のサイズの画像形成済みの領域が存在するか否かを判定する判定手段と、前記第１の搬送手段により前記画像形成手段に記録紙が搬送された後、前記第２の面が画像形成面となるように前記画像形成手段に記録紙を搬送する第２の搬送手段とを備え、前記画像形成手段は、前記判定手段により前記基準値以上の画像形成済みの領域が存在すると判定された場合、前記第１の面に画像の形成を行うことなく前記第２の面に画像を形成することを特徴とする。
【０００８】
また、上記構成において、前記画像形成手段は、前記判定手段により前記第１の面における画像形成済みの領域が前記基準値未満であると判定された場合、前記第１の面の空白領域に画像が収まるように画像を縮小して形成することが好ましい。
【０００９】
また、上記構成において、前記判定手段は前記第１の面及び前記第２の面に対して前記基準値以上の画像形成済みの領域が存在するか否かを判定し、前記画像形成手段は、前記判定手段によりいずれか一方の面に前記基準値未満の画像形成済みの領域が存在すると判定された場合、当該面の空白領域に画像が収まるように画像を縮小して形成することが好ましい。
【００１０】
また、上記構成において、前記画像形成手段は、前記判定手段により前記第１及び第２の面の両方に前記基準値未満の画像形成済みの領域が存在すると判定された場合、空白領域が大きい方の面の空白領域に画像が収まるように画像を縮小して形成することが好ましい。
【発明の効果】
【００１１】
請求項１記載の発明によれば、記録紙の第１の面に対して既に画像が形成されており、しかもこの画像が形成された領域の大きさが基準値以上の場合、すなわち、第１の面の空白領域が小さい場合、第１の面に画像が形成されることなく、第２の面に画像が形成されるため、印刷済みの記録紙を再利用した場合に、当該記録紙に画像が重ねて印刷されるというようなコピーミスを防止することができる。
【００１２】
請求項２記載の発明によれば、第１の面において画像が形成された領域が基準値未満と判定された場合、第１の面の空白領域に形成対象となる画像が収まるように縮小されて印刷されるため、印刷済みの記録紙に画像が重ねて印刷されるというようなコピーミスを防止することができる。
【００１３】
請求項３記載の発明によれば、第１及び第２の面のいずれか一方の面に基準値未満の画像形成済みの領域が存在すると判定された場合、基準値未満の画像形成済みの領域が存在する方の面の空白領域に印刷対象の画像が収まるように印刷されるため、印刷済みの記録紙に画像が重ねて印刷されるというようなコピーミスを防止することができる。
【００１４】
請求項４記載の発明によれば、第１及び第２の面の両方に基準値未満の画像形成済みの領域が存在すると判定された場合、空白領域が大きい方の面の空白領域に画像が縮小して印刷されるため、印刷対象となる画像の縮小率ができるだけ小さくなるように画像を形成することができる。
【発明を実施するための最良の形態】
【００１５】
以下、本発明に係る実施の形態を図面に基づいて説明する。図１は、本発明の実施の形態による画像形成装置内部構成を示す側面図である。図１に示す画像形成装置は、コピー機能、プリンタ機能、スキャナ機能及びファクシミリ機能等の機能を兼ね備えたデジタル複合機である。画像形成装置は、本体部２００、本体部２００の上部に配設された原稿読取部５００、及び原稿読取部５００の上部に配設された原稿給送部６００を備えている。
【００１６】
画像形成装置の前面には、操作部４００が設けられている。操作部４００は、テンキー４０１、スタートキー４０２、及び表示部４０３を備えている。テンキー４０１はユーザによる印刷部数等を入力するための操作指令を受付ける。スタートキー４０２はユーザによる印刷実行指令を受付ける。表示部４０３はタッチパネル機能を有する液晶ディスプレイにより構成され、各種複写動作の操作ガイド情報等を表示する。
【００１７】
原稿読取部５００は、ＣＣＤ(Charge Coupled Device)ラインセンサ及び露光ランプ等からなるスキャナ部５０１、コンタクトガラス５０２、及び原稿読取スリット５０３を備える。スキャナ部５０１は、図略の駆動部によって移動可能に構成され、コンタクトガラス５０２に載置された原稿を読取るときは、コンタクトガラス５０２に沿って移動され、原稿画像を走査しつつ取得した画像データを制御部１０（図２）へ出力する。また、原稿給送部６００により給送された原稿を読取るときは、スキャナ部５０１は原稿読取スリット５０３と対向する位置に移動され、原稿読取スリット５０３を介して原稿給送部６００による原稿の搬送動作と同期して原稿の画像を取得し、その画像データを制御部１０へ出力する。
【００１８】
原稿給送部６００は原稿が載置される原稿載置部６０１、スキャナ５０１により読取られた原稿を排出する原稿排出部６０５、原稿載置部６０１に載置された原稿を１枚ずつ繰り出す給紙ローラ６０２、給紙ローラ６０２により繰り出された原稿を原稿読取スリット５０３に搬送する搬送ローラ６０３、及びスキャナ５０１により読取られた原稿を原稿排出部６０５へ排出する搬送ローラ６０４等を備える。
【００１９】
また、原稿給送部６００は、コンタクトガラス６０５に対して開閉可能に取り付けられている。ユーザは原稿給送部６００をコンタクトガラス６０５に対して開状態とし、コンタクトガラス６０５に読取り対象となる原稿（例えば見開き状態にされた書籍等）を載置した後、原稿給送部６００を閉状態とし、スタートキー４０２を押すことにより原稿読取り動作を開始させる。
【００２０】
本体部２００は、３個の給紙カセット２０１、３個の給紙ローラ２０２、搬送ローラ２０３，２０８，２０９、センサ２０４，２０５、レジストローラ２０６、定着ローラ２０７、及び印刷部２２０等を備えている。印刷部２２０は転写ローラ２２１、感光体ドラム２２２、露光装置２２３、及び現像装置２２４を備えている。
【００２１】
感光体ドラム２２２は、矢印方向に回転しながら帯電装置（図示省略）によって一様に帯電される。露光装置２２３は、スキャナ５０１において読取られた原稿の画像データに基づいて生成された変調信号をレーザ光に変換して出力し、感光体ドラム２２２に静電潜像を形成する。現像装置２２４は、現像剤を感光体ドラム２２２に供給してトナー像を形成する。
【００２２】
給紙ローラ２０２は給紙カセット２０１から記録紙を１枚ずつ繰り出して印刷部２２０に搬送する。搬送ローラ２０３は給紙カセット２０１から搬送されてきた記録紙をレジストローラ２０６に搬送する。レジストローラ２０６は記録紙の斜め送りを修正する。
【００２３】
センサ２０４は記録紙の搬送経路上、搬送ローラ２０３及びレジストローラ２０６間であって、感光体ドラム２２２側に配設されている。このセンサ２０４は、ＣＩＳ、ＣＣＤ等の光ラインセンサから構成され、記録紙の感光体ドラム２２２側の面に印刷されている画像を読取る。以下、センサ２０４側の記録紙の面を「第１の面」と称する。
【００２４】
センサ２０５は記録紙の搬送経路上、搬送ローラ２０３及びレジストローラ２０６間であって、転写ローラ２２１側に配設されている。このセンサ２０５はセンサ２０４と同様、光ラインセンサであり、第１の面に対して反対側の面に印刷されている画像を読取る。以下、センサ２０５側の記録紙の面を「第２の面」と称する。
【００２５】
転写ローラ２２１は、搬送された記録紙に感光体ドラム２２２上のトナー像を転写させ、定着ローラ２０７は、転写されたトナー像を加熱して記録紙に定着させる。その後、記録紙は、本体部２００の排出口２１０からスタックトレイ２１１に搬入される。また、記録紙は、必要に応じて排出トレイ２１２へも排出される。
【００２６】
記録紙の両面に画像を形成する場合は、印刷部２２０により記録紙の第１の面に画像が印刷された後、搬送ローラ２０９は排出トレイ２１２側に記録紙の上流側の一辺が分岐点Ｐ１に到達するまで記録紙を搬送する。そして、記録紙の上流側の一辺が分岐点Ｐ１に到達すると搬送ローラ２０９を反転させて記録紙をスイッチバックさせ、用紙搬送路Ｌに送って記録紙を印刷部２２０に再度搬送する。これにより記録紙の第２の面が印刷面となるように記録紙は印刷部２２０に搬送される。この記録紙は印刷部２２０により第２の面に画像が印刷された後、定着ローラ２０７、２０８によりスタックトレイ２１１又は定着ローラ２０７、２０９により排出トレイ２１２に排出される。
【００２７】
図２は図１に示す画像形成装置のブロック図を示している。図２に示すように画像形成装置は、センサ２０４，２０５、スキャナ部５０１、制御部１０、印刷制御部２０、及び搬送制御部３０を備えている。
【００２８】
制御部１０は、ＣＰＵ、ＲＯＭ、及びＲＡＭ等から構成され、本画像形成装置全体の制御を司り、特に本実施の形態では印刷率算出部１１、基準値記憶部１２、印刷面決定部１３、縮小率算出部１４、及び出力画像生成部１５の機能を備えている。これらの機能は、ＣＰＵがＲＯＭに記憶された制御プログラムを実行することにより実現される。
【００２９】
印刷率算出部１１は、センサ２０４により読取られた記録紙の第１の面において、画像が印刷された領域（印刷領域）のサイズを算出し、記録紙のサイズに対する印刷領域のサイズの比率（印刷率）を算出する。また、印刷率算出部１１は、センサ２０５により読取られた記録紙の第２の面における印刷率を算出する。
【００３０】
ここで、印刷率算出部１１は、記録紙の地肌の部分が一定の値以下である領域を印刷領域として検出する所定のフィルタを用いたフィルタリング処理を実行して印刷領域を抽出する。なお、印刷率算出部１１は、本画像形成装置により使用されることが想定されている記録紙の種類「Ａ４等」の各々に対するサイズを予め記憶する記録紙サイズ記憶部（図略）を備えている。そして、制御部１０により搬送される記録紙の種類が決定された際に、この記録紙サイズ記憶部を参照することにより記録紙のサイズを特定する。
【００３１】
印刷面決定部１３は、基準値記憶部１２に記憶された基準値と印刷率算出部１１により算出された第１及び第２の面の印刷率とを比較し、比較結果に基づいて第１及び第２の面のいずれか一方の面を印刷面として決定する。基準値記憶部１２は、前記基準値を記憶する。この基準値は、例えば５０〜６０％である。
【００３２】
縮小率算出部１４は、スキャナ部５０１により読取られた原稿の画像データが印刷面決定部１３により決定された印刷面の空白領域内に収まるような縮小率を算出する。ここで、縮小率算出部１４は、縮小しなくても空白領域に画像データが収まる場合（例えば、決定された印刷面が白紙である場合）、縮小率を０として算出する。
【００３３】
出力画像生成部１５は、縮小率算出部１４により算出された縮小率が所定の値（例えば５０％）以上の場合、印刷面決定部１３により決定された印刷面の空白領域に、前記縮小率により縮小された原稿の画像データが印刷されるように出力画像を生成する。また、印刷画像生成部１５は、縮小率算出部１４により算出された縮小率が所定の値未満の場合、出力画像を生成しない。
【００３４】
印刷制御部２０は、印刷部２２０を制御して、出力画像生成部１５により生成された出力画像を記録紙に印刷する。搬送制御部３０は、印刷面決定部１３により決定された印刷面に出力画像生成部１５により生成された出力画像が印刷されるように、給紙ローラ２０２、搬送ローラ２０５，２０８，２０９、及び定着ローラ２０７等の駆動制御を行う。
【００３５】
本実施の形態では印刷制御部２０、印刷部２２０、縮小率算出部１４、及び出力画像生成部１５が画像形成手段に相当し、給紙ローラ２０２、搬送ローラ２０３，２０８，２０９、レジストローラ２０６、定着ローラ２０７、及び搬送制御部３０が第１の搬送手段に相当し、搬送ローラ２０３，２０８，２０９、レジストローラ２０６、定着ローラ２０７、及び搬送制御部３０が第２の搬送手段に相当し、センサ２０４，２０５、印刷率算出部１１、基準値記憶部１２、印刷面決定部１３が判定手段に相当する。
【００３６】
次に、図３及び図４のフローチャートを用いて、本画像形成装置の動作について説明する。まず、ステップＳ１において、ユーザによりコンタクトガラス６０５に原稿がセットされ、スタートキー４０２が押されると、搬送制御部３０は給紙ローラ２０２等を駆動させ、給紙カセット２０１に収納された記録紙を印刷部２２０へ搬送する。
【００３７】
ステップＳ２において、センサ２０４は記録紙の第１の面に印刷された画像を読取ると共に、センサ２０５は記録紙の第２の面に印刷された画像を読取る。ステップＳ３において、印刷率算出部１１は記録紙の第１及び第２の面の印刷率を算出する。ここで、第１及び第２の面が白紙である場合、印刷率は０と算出される。
【００３８】
ステップＳ４において、印刷面決定部１３は、第１の面の印刷率を基準値と比較し、第１の面の印刷率≧基準値、かつ第２の面の印刷率≧基準値の場合、空白領域が小さいため空白領域に原稿の画像データを印刷するのは困難であるとして処理が終了される。
【００３９】
一方、ステップＳ４において、第１の面の印刷率≧基準値、かつ第２の面の印刷率＜基準値の場合、印刷面決定部１３は第２の面の空白領域の方が第１の面の空白領域よりも大きいため、第２の面を印刷面として決定する（Ｓ５）。
【００４０】
一方、ステップＳ４において、第１の面の印刷率＜基準値、かつ第２の面の印刷率≧基準値の場合、印刷面決定部１３は第１の面の空白領域の方が第２の面の空白領域よりも大きいため、第１の面を印刷面として決定する（Ｓ６）。一方、ステップＳ４において、第１の面の印刷率＜基準値、かつ第２の面の印刷率＜基準値の場合、処理がＳ７に進められる。
【００４１】
ステップＳ８において、縮小率算出部１４は第２の面の空白領域に原稿の画像データが収まるように当該画像データの縮小率を算出する。ステップＳ９において、縮小率算出部１４により算出された縮小率が５０％以上である場合（Ｓ９でＹＥＳ）、出力画像生成部１５はステップＳ８で算出された縮小率で原稿の画像データを縮小し、かつ、第２の面の空白領域に縮小された画像データが印刷されるように、出力画像を生成する（Ｓ１０）。
【００４２】
一方、ステップＳ９において、縮小率算出部１４に算出された縮小率が５０％未満である場合（Ｓ９でＮＯ）、原稿の画像データが過度に縮小されてしまい視認性が著しく低下するため、当該画像データを印刷することなく処理が終了される。
【００４３】
ステップＳ１１において、搬送制御部３０は記録紙をスイッチバックさせて、第２の面が印刷面となるように記録紙を印刷部２２０に搬送する。ここで、スイッチバックされる前の記録紙が印刷部２２０を通過する際、印刷制御部２０は記録紙に出力画像を印刷しない。これにより、第１の面に出力画像は印刷されない。
【００４４】
ステップＳ１２において、搬送制御部３０によりスイッチバックされた記録紙が印刷部２２０に搬送されると、印刷制御部２０は出力画像を記録紙に印刷する。これにより、第２の面の空白領域に原稿の画像データが印刷されることとなる。
【００４５】
ステップＳ１３において、縮小率算出部１４は第１の面の空白領域に原稿の画像データが収まるように縮小率を算出する。ここで、第１の面が白紙の場合、又は、原稿の画像データを縮小しなくとも当該画像データが第１の面の空白領域に収まる場合は、縮小率は０と算出される。
【００４６】
ステップＳ１４において、縮小率算出部１４により算出された縮小率が５０％以上である場合（Ｓ１４でＹＥＳ）、出力画像生成部１５はステップＳ１３で算出された縮小率で原稿の画像データを縮小し、かつ、第１の面の空白領域に縮小された画像データが印刷されるように、出力画像を生成する（Ｓ１５）。
【００４７】
ステップＳ１６において、給紙カセット２０１から搬送された記録紙が印刷部２２０に搬送されると、印刷制御部２０は出力画像を記録紙に印刷する。これにより、第１の面の空白領域に原稿の画像データが印刷されることとなる。
【００４８】
ステップＳ７において、第１の面の印刷率が第２の面の印刷率以下の場合（Ｓ７でＹＥＳ）、印刷面決定部１３は第１の面を印刷面として決定し（Ｓ２３）、第１の面の印刷率が第２の面の印刷率より大きい場合（Ｓ７でＮＯ）、印刷面決定部１３は第２の面を印刷面として決定する（Ｓ１７）。
【００４９】
ステップＳ１８において、縮小率算出部１４は第２の面の空白領域に原稿の画像データが収まるように当該画像データの縮小率を算出する。ステップＳ１９において、縮小率算出部１４により算出された縮小率が５０％以上である場合（Ｓ１９でＹＥＳ）、出力画像生成部１５はステップＳ１８で算出された縮小率で原稿の画像データを縮小し、かつ、第２の面の空白領域に縮小された画像データが印刷されるように、出力画像を生成する（Ｓ２０）。
【００５０】
一方、ステップＳ１９において、縮小率算出部１４に算出された縮小率が５０％未満である場合（Ｓ１９でＮＯ）、原稿の画像データが過度に縮小されて印刷されてしまうため、当該画像データを印刷することなく処理が終了される。
【００５１】
ステップＳ２１において、搬送制御部３０は記録紙をスイッチバックさせて、第２の面が印刷面となるように記録紙を印刷部２２０に搬送する。ステップＳ２２において、印刷制御部２０は記録紙の第２の面に出力画像を印刷する。これにより、第２の面の空白領域に原稿の画像データが印刷されることとなる。
【００５２】
ステップＳ２５において、縮小率算出部１４により算出された縮小率が５０％以上である場合（Ｓ２５でＹＥＳ）、出力画像生成部１５はステップＳ２４で算出された縮小率で原稿の画像データを縮小し、かつ、第１の面の空白領域に縮小された画像データが印刷されるように、出力画像を生成する（Ｓ２６）。
【００５３】
ステップＳ２７において、給紙カセット２０１から搬送された記録紙が印刷部２２０に搬送されると、印刷制御部２０は出力画像を記録紙に印刷する。これにより、第１の面の空白領域に原稿の画像データが印刷されることとなる。
【００５４】
図５は空白領域が大きな記録紙に対して印刷された原稿の画像データの一例を示した図面であり、（ａ）は原稿の画像データが印刷される前の記録紙を示し、（ｂ）は読取り対象の原稿を示し、（ｃ）は（ａ）で示す記録紙に（ｂ）で示す原稿の画像データを印刷したときの印刷結果を示している。
【００５５】
図５（ａ）に示す記録紙の線は文字を示し、この文字を含む領域が印刷領域Ｒ１であり、それ以外の領域が空白領域Ｒ２である。この例では空白領域Ｒ２のサイズが原稿の画像データのサイズよりも大きいため、縮小率算出部１４は原稿の画像データの縮小率を０と算出し、出力画像生成部１５は空白領域Ｒ２に原稿の画像データが印刷されるように出力画像を生成している。そのため、図５（ｃ）で示すような印刷結果、すなわち、記録紙に予め印刷されていた画像と原稿の画像データとが重ならないような印刷結果が得られる。
【００５６】
図６は空白領域が小さな記録紙に対して印刷された原稿の画像データの一例を示した図面であり、（ａ）は原稿の画像データが印刷される前の記録紙を示し、（ｂ）は読取り対象の原稿を示し、（ｃ）は（ａ）で示す記録紙に（ｂ）で示す原稿の画像データを印刷したときの印刷結果を示している。
【００５７】
図６（ａ）に示す空白領域Ｒ２のサイズは、図６（ｂ）に示す原稿の画像データが存在する領域Ｒ３のサイズよりも小さい。そのため、縮小率算出部１４は原稿の画像データが空白領域Ｒ２に収まるように、原稿の画像データの縮小率を算出し、出力画像生成部１５は、算出された縮小率で原稿の画像データを縮小し、かつ、空白領域Ｒ２に縮小した原稿の画像データが印刷されるように出力画像を生成している。そのため、図６（ｃ）で示すような印刷結果、すなわち、記録紙に予め印刷されていた画像と原稿の画像とが重ならないように印刷されるような印刷結果が得られる。
【００５８】
以上説明したように、本実施の形態による画像形成装置によれば、記録紙の第１の面に既に画像が印刷され、かつ、印刷率が基準値以上の場合は、第２の面が印刷面として決定されるため、印刷済みの記録紙を再利用した場合にミスコピーを防止することができる。
【００５９】
なお、上記実施の形態では、第１及び第２の面の印刷率を基準値と比較して印刷面を決定していたが、これに限定されず、第１及び第２の面の印刷領域のサイズを求め、このサイズを基準値と比較することで印刷面を決定してもよい。
【図面の簡単な説明】
【００６０】
【図１】本発明の実施の形態による画像形成装置内部構成を示す側面図である。
【図２】図１に示す画像形成装置のブロック図を示している。
【図３】本画像形成装置の動作を示すフローチャートである。
【図４】本画像形成装置の動作を示すフローチャートである。
【図５】空白領域が大きな記録紙に対して印刷された原稿の画像データの一例を示した図面であり、（ａ）は原稿の画像データが印刷される前の記録紙を示し、（ｂ）は原稿を示し、（ｃ）は（ａ）で示す記録紙に（ｂ）で示す原稿の画像データを印刷したときの印刷結果を示している。
【図６】空白領域が小さな記録紙に対して印刷された原稿の画像データの一例を示した図面であり、（ａ）は原稿の画像データが印刷される前の記録紙を示し、（ｂ）は原稿を示し、（ｃ）は（ａ）で示す記録紙に（ｂ）で示す原稿の画像データを印刷したときの印刷結果を示している。
【符号の説明】
【００６１】
１０  制御部
１１  印刷率算出部
１２  基準値記憶部
１３  印刷面決定部
１４  縮小率算出部
１５  出力画像生成部
２０  印刷制御部
３０  搬送制御部
２０４  ２０５  センサ
【図１】
2006195183.tif 000003
【図２】
2006195183.tif 000004
【図３】
2006195183.tif 000005
【図４】
2006195183.tif 000006
【図５】
2006195183.tif 000007
【図６】
2006195183.tif 000008